(57)【特許請求の範囲】
【請求項１】
ライト部を設けたアッパーケースにロアーケースを脱着自在または開閉自在に取付け、ロアーケースに電池パックを収納すると共に、ロアーケース内で上下多段階に取付位置を変更できる押え部材によって電池パックを上から押圧固定し、ライト部へ通じる電線の端部に設けたフリーのターミナルホルダーを、電池パックの端子を設けた突起部に被着して、ターミナルホルダーのターミナルを電池パックの端子と接続した携帯用電灯において、前記押え部材は、前記電池パックの突起部が突き出す開口を形成したプレートであって、その一端に係合部を有し、且つ、他端に出没自在な可動係合子を取着したものであり、前記ロアーケースの内面には、これらの係合部及び可動係合子が係合する相手方の被係合部を上下に間隔をあけて多数形成してあることを特徴とする携帯用電灯。
【請求項２】
ターミナルホルダーが、ほぼ逆Ｕ字形のホルダー本体の左右内側面にバネ性を有するターミナルを設けたものであることを特徴とする請求項１に記載の携帯用電灯。
【発明の詳細な説明】
【０００１】
【発明の属する技術分野】
本発明は、コードレスドライバー用の種々の電池パックを収納して使用できる携帯用電灯に関する。
【０００２】
【従来の技術】
コードレスドライバー用の電池パックを流用する従来の携帯用電灯は、電池パックの取付方法がコードレスドライバーの場合と同様であり、電池パックを本体ケースの下端に直接取付けている。
【０００３】
即ち、図５に例示のごとく、本体ケース１０１の内部に凹部１０２を形成して凹部１０２の内面にターミナル１０３を設け、電池パック１０４の突起部１０５を下方から凹部１０２に差込んで、突起部１０５の端子１０６を凹部１０２のターミナル１０３に接続すると共に、電池パック１０４の係合片１０７を本体ケース１０１の被係合部１０８に係合させて、電池パック１０４を取付けるようにしている。
【０００４】
【発明が解決しようとする課題】
しかしながら、上記の携帯用電灯は、電池パック１０４及びその突起部１０５の形状に対応して、本体ケース１０１の下端部の形状や凹部１０２の形状、位置などを定めているため、形状等が異なる他の電池パックを取付けることができないという問題があった。
【０００５】
本発明は上記問題に鑑みてなされたもので、その目的とするところは、形状や大きさが異なる種々のコードレスドライバー用電池パックを収納して使用することができる便利な携帯用電灯を提供することにある。
【０００６】
【課題を解決するための手段】
即ち、この発明は上記する問題を解決するために、（１）携帯用電灯は、ライト部を設けたアッパーケースにロアーケースを脱着自在または開閉自在に取付け、ロアーケースに電池パックを収納すると共に、ロアーケース内で上下多段階に取付位置を変更できる押え部材によって電池パックを上から押圧固定し、ライト部へ通じる電線の端部に設けたフリーのターミナルホルダーを、電池パックの端子を設けた突起部に被着して、ターミナルホルダーのターミナルを電池パックの端子と接続した携帯用電灯において、前記押え部材は、前記電池パックの突起部が突き出す開口を形成したプレートであって、その一端に係合部を有し、且つ、他端に出没自在な可動係合子を取着したものであり、前記ロアーケースの内面には、これらの係合部及び可動係合子が係合する相手方の被係合部を上下に間隔をあけて多数形成してあることを特徴とし、また、（２）携帯用電灯は、前記ターミナルホルダーが、ほぼ逆Ｕ字形のホルダー本体の左右内側面にバネ性を有するターミナルを設けたものであることを特徴とする。
【０００７】
上記（１）の手段とした携帯用電灯のように、アッパーケースにロアーケースを取付けてあると、形状や大きさが異なる種々の電池パックをロアーケースに収納することができ、しかも、押え部材がロアーケース内で上下多段階に取付位置を変更できるものであるため、ロアーケース内に収納した電池パックの形状や大きさが異なっても、押え部材の取付位置を変更して確実に電池パックを押圧固定することができる。そして、ターミナルホルダーが固定されてなくフリーであるため、電池パックの突起部の位置や高さ或いは大きさが変わっても、該突起部にターミナルホルダーを被着してターミナルホルダーのターミナルを電池パックの端子と接続することができる。特に、押え部材であるプレート一端の係合部と他端の可動係合子をロアーケース内面の所望の高さの被係合部に係合させることによって、簡単且つ確実に電池パックを押圧固定することができ、このように押圧固定した状態では、電池パックの突起部がプレートの開口から上方に突き出すので、ターミナルホルダーの被着作業も容易に行うことができる。
【０００８】
また、（２）の手段の携帯用電灯のように、逆Ｕ字形のホルダー本体の左右内側面にバネ性を有するターミナルを設けたターミナルホルダーを使用すると、電池パックの突起部に対する被着作業が一層簡単となり、しかもバネ性を有するターミナルが電池パックの端子に接続するため、接触不良の心配がなくなる。
【０００９】
【発明の実施の形態】
以下、図面を参照して本発明の実施の形態を説明する。
【００１０】
図１は本発明の好ましい実施形態の携帯用電灯を示す斜視図、図２はケースが開いた状態の同携帯用電灯を示す一部切欠斜視図である。
【００１１】
図１，図２において、１は合成樹脂製のアッパーケース、２は合成樹脂製のロアーケースであり、アッパーケース１には取手３が一体に形成されている。そして、このアッパーケース１の先端には、ライト部４が上下４段階に首振りできるように装着されており、アッパーケース１の後側上部にはＯＮ／ＯＦＦスイッチ１１が設けられている。
【００１２】
ロアーケース２は上端が開口した箱形のケースであり、ジョイントピン５によってアッパーケース１に開閉自在に取付けられている。ロアーケース２とアッパーケース１はケースストッパ６で閉じられており、ケースストッパ６の下端を押すことによって、ケースストッパ６上端の係合爪とアッパーケース１前面の被係合凹部１ａとの係合を解除すると、図２のようにアッパーケース１とロアーケース２を開くことができるようになっている。
【００１３】
このロアーケース２は、コードレスドライバー用の種々の電池パック７を収納できる容積を有しており、ケース内部には電池パック７を上から押圧固定する押え部材８が取付けられている。この押え部材８は、電池パック７の突起部７ａが突き出す開口８ａを形成した合成樹脂製のプレートから成るもので、図３に示すように、該プレート８の一端（後端）には左右に突出する一対の軸状の係合部８ｂ，８ｂが形成されており、他端（前端）には左右一対の可動係合子８ｃ，８ｃが出没自在に取付けられている。
【００１４】
そして、ロアーケース２の後側左右のコーナー部内面には、押え部材８の軸状係合部８ｂを嵌め込んで係合させる相手方の被係合部２ａが、上下に間隔をあけて多数（この実施形態では上下に四つずつ）形成されており、またロアーケース２の前側左右のコーナー部内面には、上記押え部材８の可動係合子８ｃを突出させて係合させる相手方の被係合部２ｂが、上下に間隔をあけて被係合部２ａと同数形成されている。この被係合部２ａは上下一組のリブで形成されたものであり、被係合部２ｂは鉤形のリブで形成されたものである。
【００１５】
上記のように被係合部２ａ，２ｂが上下に間隔をあけて多数形成されていると、押え部材８の軸状係合部８ｂ及び可動係合子８ｃをそれぞれ係合させる相手方の被係合部２ａ，２ｂを選択することによって、押え部材８の取付位置を上下多段階（この実施形態では上下四段階）に変更することが可能である。従って、ロアーケース２に収納される電池パック７の形状や大きさが異なっていても、その電池パック７の上面にほぼ対応する高さの被係合部２ａ，２ｂを選択し、これに押え部材８の軸状係合部８ｂ及び可動係合子８ｃを係合させて押え部材８の取付けを行えば、押え部材８によって電池パック７を上から確実に押圧固定することができる。このように電池パック７を押圧固定すると、電池パック７の突起部７ａが押え部材８の開口８ａから上方へ突き出した状態となる。
【００１６】
突き出した電池パック７の突起部７ａには、ライト部４へ通じる電線９の端部に設けたフリーのターミナルホルダー１０が被着されている。このターミナルホルダー１０は、図４に示すように、ほぼ逆Ｕ字形のホルダー本体１０ａの左右内側面にバネ性を有するターミナル１０ｂ，１０ｂを設けたもので、これを電池パック７の突起部７ａに上方から被せると、ターミナル１０ｂ，１０ｂが突起部７ａの端子７ｂ，７ｂに弾接して確実に接続できるものである。
【００１７】
このようにターミナルホルダー１０をアッパーケース１の内部に固定しないでフリーの状態にしてあると、電池パック７の種類によって突起部７ａの位置や高さが変わっても、その突起７ａにタ−ミナルホルダ−ダー１０を被着して簡単に接続することができる。尚、前記タ−ミナルホルダ−ダー１０の形状は逆Ｕ字上に限らず例えば全体を電池パック７の突起部７ａに被せるように接続するキャップ状のものとしても良い。
【００１８】
この実施形態の携帯用電灯は、既述したようにジョイントピン５でアッパーケース１とロアーケース２を開閉自在に取付けているが、アッパーケース１とロアーケース２を脱着自在に取付けるように構成してもよい。脱着自在な取付手段としては、例えば既述したようなケースストッパ６をロアーケース２に複数設け、これと係合する被係合凹部１ａをアッパーケース１に同数設けるなど、種々の手段を採用することができる。
【００１９】
【発明の効果】
以上の説明から明らかなように、本発明の携帯用電灯は、形状や大きさが異なる種々のコードレスドライバー用電池パックをロアーケースに収納して押え部材で押圧固定することができ、フリーのターミナルホルダーによって電池パックの端子と確実に接続することができるので、従来の携帯用電灯のように使用可能な電池パックが一種類に限定されるという不便さが解消されて汎用性が大幅に向上し、押え部材による電池パックの固定作業やターミナルホルダーの接続作業も簡単に行えるといった顕著な効果を奏する。
【図面の簡単な説明】
【図１】本発明の一実施形態の携帯用電灯を示す斜視図である。
【図２】ケースが開いた状態の同携帯用電灯を示す一部切欠斜視図である。
【図３】ロアーケースと押え部材を示す一部切欠斜視図である。
【図４】ターミナルホルダーと電池パックを示す背面図である。
【図５】従来の携帯用電灯を示す分解斜視図である。
【符号の説明】
１    アッパーケース
２    ロアーケース
２ａ，２ｂ    相手方の被係合部
４    ライト部
７    電池パック
７ａ  突起部
７ｂ  端子
８    押え部材（プレート）
８ａ  開口
８ｂ  係合部
８ｃ  可動係合子
９    電線
１０  ターミナルホルダー
１０ａ  ホルダー本体
１０ｂ  ターミナル
【図１】
0003901231.tif 000002
【図２】
0003901231.tif 000003
【図３】
0003901231.tif 000004
【図４】
0003901231.tif 000005
【図５】
0003901231.tif 000006